(57)【特許請求の範囲】
【請求項１】
利用者の座るシートが車体の上側に設置され、このシートの下方にバッテリとその充電器が積載された電動車椅子に装着され、充電器に接続された充電コードを引き出し自在に収容するコードリールを有する充電コード収容装置において、
シートは、車体に対して垂直な回転軸を中心にして水平方向に回転可能に設置されたシートベースと、このシートベース上に支持されるシートフレームと、このシートフレームに支持されるシートクッションとを含み、
コードリールは、充電コードを収容した際にその先端のプラグがシートクッションの外周縁部下方に配置されるよう、シートのシートフレーム上に装着され、
車体に対してシートを水平方向に回転させることにより、コードリールの位置と充電コードの引き出し方向とを変更するようにしたことを特徴とする電動車椅子の充電コード収容装置。
【請求項２】
前記シートベースは、前記車体に対して回転可能に支持された縦向パイプ状の回転支持部上に支持され、前記コードリールは、前記回転支持部内に挿通されるハーネスを介して前記充電器側に接続された請求項１に記載の電動車椅子の充電コード収容装置。
【請求項３】
前記コードリールは、前記充電コードを収容した際に前記充電コードの先端のプラグが前記シートクッションの前縁部の横側偏倚部分の下方に配置されるように装着された請求項１又は２に記載の電動車椅子の充電コード収容装置。
【請求項４】
前記コードリールは、前記充電コードの引出方向が前記シートクッションに対して斜前横方になるように装着された請求項１、２、又は３に記載の電動車椅子の充電コード収容装置。
【請求項５】
前記シートベース上には、前記シートクッションを支持するシートフレームが、前記シートベースに対してスライド可能に支持され、前記コードリールは、前記シートフレーム上に装着された請求項１、２、３、又は４に記載の電動車椅子の充電コード収容装置。
【請求項６】
前記シートクッションは、前記シートベース又は前記シートフレームに対して取外自在に装着される請求項１、２、３、４、又は５に記載の電動車椅子の充電コード収容装置。
【発明の詳細な説明】
【０００１】
【発明の属する技術分野】
本発明は、高齢者が使用する自操用ハンドル型電動車椅子（セニアカー）等の電動車椅子に適用され、シートの下側に積載された充電器に接続された充電コードをコードリールに収容する電動車椅子の充電コード収容装置に関する。
【０００２】
【従来の技術】
高齢者が使用する自操用ハンドル型電動車椅子（セニアカー）等の電動車椅子には、車体の後部に、利用者が座るシートが設置され、車体の前部に、前輪操舵用ハンドルが装備されており、後輪駆動用モーター、バッテリー、充電器等は、シートの下側に積載されている。そして、充電器に接続された充電コードを収容する従来の充電コード収容装置は、一般に、車体に対して固定して装着され、その多くは、車体の後端下部に配置され、充電コードを車体から後方へ引き出すように構成されている。
【０００３】
【発明が解決しようとする課題】
電動車椅子のバッテリーの充電は、充電コードを引き出して家庭用電源コンセントに接続することによって行われるが、上述のように充電コード収容装置が車体に固定されていると、家庭用電源コンセントに充電コードが届かず、延長コードを使用しなければならない場合が生じる。また、上述のように充電コード収容装置が車体の後端下部に配置されていると、充電コードを引き出す際に、利用者は、シートから降りて、腰を曲げたり、しゃがんだりする必要があり、高齢者が無理な姿勢を強いられる場合もあった。
【０００４】
本発明は、このような問題に鑑み、電動車椅子のバッテリーの充電に際して、充電コードを容易に引き出すことができる電動車椅子の充電コード収容装置を提供することをを目的とする。
【０００５】
請求項１記載の発明においては、上記課題を達成するため、利用者の座るシートが車体の上側に設置され、このシートの下方にバッテリー及び充電器が積載された電動車椅子に装着され、充電器に接続された充電コードを引出自在に収容するコードリールを有する装置において、
シートは、車体に対して縦向回転軸を中心にして水平方向に回転可能に設置されたシートベースと、このシートベース上に支持されるシートクッションとを備え、
コードリールは、充電コードを収容した際にその先端のプラグがシートクッションの外周縁部下方に位置し、このシートクッションを支持してシートを形成するとともに、車体に対して水平方向に回転可能なシートベースに取り付けられ、シートの回転により、コードの引き出し位置及び方向を車体の前後及び左右の任意の方向に変更可能に形成したことを特徴としている。
【０００６】
【課題を解決するための手段】
本発明においては上記課題を達成するため、利用者の座るシートが車体の上側に設置され、このシートの下方にバッテリとその充電器が積載された電動車椅子に装着され、充電器に接続された充電コードを引き出し自在に収容するコードリールを有する充電コード収容装置において、
シートは、車体に対して垂直な回転軸を中心にして水平方向に回転可能に設置されたシートベースと、このシートベース上に支持されるシートフレームと、このシートフレームに支持されるシートクッションとを含み、
コードリールは、充電コードを収容した際にその先端のプラグがシートクッションの外周縁部下方に配置されるよう、シートのシートフレーム上に装着され、
車体に対してシートを水平方向に回転させることにより、コードリールの位置と充電コードの引き出し方向とを変更するようにしたことを特徴としている。
【０００７】
また、請求項２に記載の発明においては、シートベースは、車体に対して回転可能に支持された縦向パイプ状の回転支持部上に支持され、コードリールは、回転支持部内に挿通されるハーネスを介して充電器側に接続されている。請求項２に記載の発明によれば、パイプ状の回転支持部内にハーネスが挿通されているので、回転するシート側のコードリールと、固定された車体側の充電器側とを容易に接続することができる。
【０００８】
また、請求項３に記載の発明においては、コードリールは、充電コードを収容した際に充電コードの先端のプラグがシートクッションの前縁部の横側偏倚部分の下方に配置されるように装着されている。請求項３に記載の発明によれば、シートクッションの下側からの充電コードの引き出しを、車体のフロントシールド等が邪魔にならずに容易に行うことができる。
【０００９】
また、請求項４に記載の発明においては、コードリールは、充電コードの引出方向がシートクッションに対して斜前横方になるように装着されている。請求項４に記載の発明によれば、シートクッションの下側からの充電コードの引き出しを、車体のフロントシールド等が邪魔にならずに容易に行うことができる。
【００１０】
また、請求項５に記載の発明においては、シートベース上には、シートクッションを支持するシートフレームが、シートベースに対してスライド可能に支持され、コードリールは、シートフレーム上に装着されている。請求項５に記載の発明によれば、コードリールがシートフレーム上に固定されているので、シート（シートクッション）をスライドさせた場合でもシートに対してコードリールの位置が変化せず、利用者がシートに座った状態で容易に充電コードを引き出すことができる。
【００１１】
また、請求項６に記載の発明においては、シートクッションは、シートベース又はシートフレームに対して取外自在に装着されている。請求項６に記載の発明によれば、シートクッションを取り外すことによって、コードリールや充電コードのプラグを目視により確認することができ、不慣れな利用者でも容易に充電コードを引き出すことができる。
【００１２】
【発明の実施の形態】
以下、図面を参照して本発明の実施の形態を説明する。図１は、本発明の実施の形態に係る充電コード収容装置が適用された電動車椅子の前方斜視図であり、図２は、その後方斜視図である。図３は、図１の電動車椅子のシートを横向に回転させ、シートクッションを取り外した状態を示す側方斜視図である。図４は、図３中のシートベース、シートフレーム及び充電コード収容装置の平面図であり、図５は、図４の充電コード収容装置部分の縦断面図（側面視断面図）である。
【００１３】
図１、２に示すように、本発明の実施の形態が適用された自操用ハンドル型電動車椅子（セニアカー）には、左右対の前輪１、１と後輪２、２とが装着された車体フレーム（図示せず）が備えられており、車体フレーム上には、フロントシールド６、フロントフロア７、動力部収容ボックス８等からなる車体（ボディ）が、車体フレームを覆うように固定されており、動力部収容ボックス８の上側には、シートクッション１７、シートバック１８等からなるシートが設置されている。
【００１４】
即ち、電動車椅子の車体の前部には、盾状のフロントシールド６が上方に突出して設けられており、フロントシールド６の上側には、前輪１、１を操舵するハンドル４が装備されいる。そして、車体の後部には、箱状の動力部収容ボックス８が上方に突出して設けられており、動力部収容ボックス８内には、後輪２、２を駆動するモーター、このモーターに電力を供給するバッテリー、このバッテリーを充電する充電器等が固定して収容されている。そして、動力部収容ボックス８の上側のシート（１７、１８）を車体の前方に向けて利用者が座った際に、利用者が足を置くことができるように、フロントシールド６と動力部収容ボックス８との間には、フロントフロアー７が設けられている。
【００１５】
動力部収容ボックス８の上側のシートは、図３、４に示すように、シートベース１１、シートフレーム１４、１４、シートクッション１７、シートバック１８等をもって構成されている。シートベース１１は、動力部収容ボックス８に対して縦向回転軸Ｔを中心にして回転可能に車体フレームに支持されており、シートフレーム１４、１４は、シートベース１１の左右両横側に前後方向（車体の前後方向ではなくシートの前後方向）にスライド可能に支持されており、シートクッション１７は、シートフレーム１４、１４の前側横向部分上に取外自在に載置され、シートバック１８は、シートフレーム１４、１４の後側縦向部分に固定されている。
【００１６】
即ち、図４に示すように、シートベース１１は、略長方形の横向板状（水平板状）に形成され、その底面には、縦向パイプ状（垂直パイプ状）のシートポスト１２が溶接等により固定されて下方に突出しており、このシートポスト１２が車体フレーム側における縦向パイプ状のシートホルダー（図示せず）に回転自在に嵌合されている。シートベース１１上には、固定レバー１３がシートホルダーに固定されたストッパープレート（図示せず）に係脱してシートベース１１を所定の向きに固定したり、あるいはシートベース１１を回転可能にするように装着されている。また、シートベース１１の左右両横縁部分には、長円形のスライド孔１１ａ、１１ａ…が、シートの前後方向に伸延して設けられている。
【００１７】
シートフレーム１４、１４は、前側部分がシートベース１１の左右横縁部分と平行に伸延した横向パイプ状で、後側部分が上方に突出した縦向パイプ状に形成されている。そして、シートフレーム１４、１４の前側横向部分には、ブラケット１５、１５…が横内側に突出して溶接等により固定されており、ブラケット１５、１５…は、シートベース１１のスライド孔１１ａ、１１ａ…に、ボルト、ナット等の締結部材１５ａ、１５ａ…を介して締結されている。従って、シートフレーム１４、１４は、締結部材１５ａ、１５ａ…を緩めることによって、シートベース１１に対して前後方向へスライドするようになっている。
【００１８】
そして、シートベース１１の縦向回転軸Ｔから離れた前端部の上方には、充電コード収容装置を構成するコードリール２１が、シートクッション１７の前縁部の下側に配置されるように、シートフレーム１４、１４の前側部分に固定された形で装着されている。即ち、コードリール２１の左右両横側には、ブラケット２２、２２が両横外側に突出して溶接等により固定されており、ブラケット２２、２２は、シートフレーム１４、１４のブラケット１５、１５に、ボルト、ナット等の締結部材２２ａ、２２ａを介して締結されている。従って、コードリール２１は、シートクッション１７により上側を覆われるため、雨天の際に水が掛かること等を防止することができる。
【００１９】
コードリール２１は、充電コード２７を引出自在に巻き取って収容するように円盤状（偏平円筒状）に形成されており、コードリール２１の外周部には、引出口２１ａが、充電コード２７を完全に巻き取った際にその先端のプラグ２７ａが突出するように設けられている。そして、コードリール２１には、充電コード２７の末端に接続されたハーネス２５が設けられており、ハーネス２５は、コードリール２１から後方へ伸延してシートパイプ１２内に挿通され、動力部収容ボックス８内に固定された充電器に接続されている。従って、シート（シートベース１１）を動力部収容ボックス８に対して回転させると、コードリール２１が動力部収容ボックス８に対して移動するが、この際、ハーネス２５が無理に引っ張られることがない。
【００２０】
また、コードリール２１は、図４に示すように、充電コード２７を完全に巻き取った際に、引出口２１ａから突出したプラグ２７ａがシートクッション１７の前縁部の右側偏倚部分（左側偏倚部分でもよい）の下側にくると共に、充電コード２７の引出方向Ｄが斜前横外方になるように、引出口２１ａをシートクッション１７の前横部下方に配置して斜前横外方に向ける形で、シートフレーム１４、１４に固定されている。更に、コードリール２１は、図５に示すように、充電コード２７の引出方向Ｄが斜前下方になるように、引出口２１ａを斜前下方に向ける形で、シートフレーム１４、１４に対して傾斜して固定されている。
【００２１】
このように構成される充電コード収容装置においては、コードリール２１がシート（シートクッション１７）の前縁部の下側に配置されているので、充電コード２７を家庭用電源コンセントに接続してバッテリーの充電を行う際に、利用者がシート（シートクッション１７）に座った状態でも、コードリール２１から容易に充電コード２７を引き出すことができる。従って、利用者は、シートから降りて、腰を曲げたり、しゃがんだりする必要がなく、高齢者の場合にも無理な姿勢を強いられることがなく、容易に充電コード２７を引き出すことができる。
【００２２】
また、コードリール２１の引出口２１ａが、充電コード２７の先端のプラグ２７ａがシート（シートクッション１７）の前縁横側偏倚部分の下側に配置され、充電コード２７の引出方向Ｄが斜前横外下方になるように形成されているので、シートの前側（シートクッション１７側）を車体の前側（フロントシールド６側）に向けて、利用者がシートに座った状態で充電コード２７を前方へ引き出す際に、フロントシールド６等が邪魔にならずに容易に充電コード２７を引き出すことができる。また、コードリール２１がシートフレーム１４、１４上に固定されているので、シート（シートクッション１７）をスライドさせた場合でも、シート（シートクッション１７）に対してコードリール２１の位置が変化せず、容易に充電コード２７を引き出すことができる。
【００２３】
また、シートクッション１７が取外自在であるので、シートクッション１７を取り外すことによって、コードリール２１や充電コード２７のプラグ２７ａを目視により確認することができ、不慣れな利用者でも容易に充電コード２７を引き出すことができる。更に、家庭用電源コンセントに充電コード２７が届かないような場合には、シート（シートベース１１）を回転させることによって、コードリール２１の位置、充電コード２７の引出方向を、家庭用電源コンセントに近づけるように容易に変更することができる。
【００２４】
以上、本発明の実施の形態について述べたが、本発明は上述の実施の形態に限定されるものではない。例えば、上述の実施の形態では、コードリールをシートの前縁部の下側に配置して、充電コードをシートの前方へ引き出す場合について述べたが、コードリールをシートの横側縁部の下側に配置して、充電コードをシートの横外方へ引き出すようにしてもよい。
【００２５】
【発明の効果】
請求項１に記載の発明によれば、充電コードを収容するコードリールがシートクッションの下側のシートベースに支持されているので、利用者がシートに座った状態でも容易に充電コードを引き出すことができ、高齢者でも無理な姿勢を強いられることがない。また、シートを車体に対して回転させることによって、コードリールの位置、充電コードの引出方向を、家庭用電源コンセントに近づけるように容易に変更することができる。
【００２６】
また、請求項２に記載の発明によれば、パイプ状の回転支持部内にハーネスが挿通されているので、回転するシート側のコードリールと、固定された車体側の充電器側とを容易に接続することができる。
【００２７】
また、請求項３に記載の発明によれば、シートクッションの下側からの充電コードの引き出しを、車体のフロントシールド等が邪魔にならずに容易に行うことができる。
【００２８】
また、請求項４に記載の発明によれば、シートクッションの下側からの充電コードの引き出しを、車体のフロントシールド等が邪魔にならずに容易に行うことができる。
【００２９】
また、請求項５に記載の発明によれば、コードリールがシートフレーム上に装着されているので、シート（シートクッション）をスライドさせた場合でもシートに対してコードリールの位置が変化せず、利用者がシートに座った状態で容易に充電コードを引き出すことができる。
【００３０】
また、請求項６に記載の発明によれば、シートベース又はシートクッションを取り外すことによって、コードリールや充電コードのプラグを目視により確認することができ、不慣れな利用者でも容易に充電コードを引き出すことができる。
【図面の簡単な説明】
【図１】本発明の実施の形態に係る充電コード収容装置が適用された電動車椅子の前方斜視図である。
【図２】図１の電動車椅子の後方斜視図である。
【図３】図１の電動車椅子のシートを横向に回転させ、シートクッションを取り外した状態を示す側方斜視図である。
【図４】図３中のシートベース、シートフレーム及び充電コード収容装置の平面図である。
【図５】図４の充電コード収容装置部分の縦断面図（側面視断面図）である。
【符号の説明】
１  前輪
２  後輪
４  ハンドル
６  フロントシールド（車体）
７  フロントフロア（車体）
８  動力部収納ボックス（車体）
１１  シートベース（シート）
１１ａ  スライド孔
１２  シートポスト（回転支持部）
１３  固定レバー
１４  シートフレーム（シート）
１５  ブラケット
１５ａ  締結部材（ボルト、ナット）
１７  シートクッション（シート）
１８  シートバッククッション（シート）
２１  コードリール
２１ａ  引出口
２２  ブラケット
２２ａ  締結部材（ボルト、ナット）
２５  ハーネス
２７  充電コード
２７ａ  プラグ
Ｄ  引出方向
Ｔ  縦向回転軸
【図１】
0003750384.tif 000002
【図２】
0003750384.tif 000003
【図３】
0003750384.tif 000004
【図４】
0003750384.tif 000005
【図５】
0003750384.tif 000006